(57)【特許請求の範囲】
【請求項１】
本体フレームと、前記本体フレームの前面から突出するとともに撮像レンズが装着可能な環状のレンズ座に回転自在に取付けられたフランジバック調整リングと、前記本体フレームの内周面に前記フランジバック調整リングと対向して設けられるとともに前記撮像素子が装着された撮像素子取付け部材と、前記本体フレームに取付けられ、前記撮像素子取付け部材を軸方向に沿って移動させる軸部材と、前記ブラケットおよび前記撮像素子を前記レンズ座に向かって加圧する押圧部材と、前記フランジバック調整リングの前記撮像素子取付け部材と対向する面に設けられ、前記フランジバック調整リングを一方に回転させたときに前記撮像素子取付け部材に当接して前記押圧部材の付勢力に抗して前記撮像素子取付け部材をフランジバック調整リングから離隔する方向に移動させる一方、前記フランジバック調整リングを他方に回転させたときに前記撮像素子取付け部材に当接して前記押圧部材の付勢力によって前記撮像素子取付け部材をフランジバック調整リングに近接させる方向に移動させるカム面とを備え、
前記軸部材の外周部に規制部材を脱着自在に設け、前記規制部材の取付け位置を可変することにより、前記フランジバック調整リングの回転に伴って移動する前記撮像素子取付け部材の移動量を多段的に規制することを特徴とする撮像装置。
【請求項２】
前記規制部材は、前記撮像素子取付け部材と前記レンズ座側の本体フレームの間の前記軸部材の外周部である第１の取付け位置と、前記撮像素子取付け部材と前記レンズ座と反対側の本体フレームの間の前記軸部材の外周部である第２の取付け位置とに脱着自在に設けられ、
前記規制部材が前記第１の取付け位置に取付けられたときに、前記押圧部材が前記撮像素子取付け部材および前記レンズ座側と反対側の本体フレームの間に介装されるとともに、前記規制部材が前記第２の取付け位置に取付けられたときに、前記押圧部材が前記規制部材の外周部でかつ、前記撮像素子取付け部材および前記レンズ座側と反対側の本体フレームの間に介装されることを特徴とする請求項１記載の撮像装置。
【発明の詳細な説明】
【０００１】
【発明の属する技術分野】
本発明は、撮像装置に関し、詳しくは、テレビカメラ、ビデオカメラ、デジタルカメラ等に設けられた撮像素子と撮像レンズとの間の距離、所謂フランジバック距離を２段階に可変してフォーカスを簡単に調整することができる撮像装置に関する。
【０００２】
【従来の技術】
一般に、テレビカメラ、ビデオカメラ、デジタルカメラ等の撮像装置にあっては、撮像レンズと撮像素子の間の光軸方向の距離（一般的にはレンズ座面から結像面までの距離、通常これをフランジバック距離という）を調整することにより、フォーカスを調整するようにしており、この撮像装置としては、例えば、特公平７−８０２１号公報に記載されたようなものがあり、図10〜図12のように示される。
【０００３】
図10、図11において、テレビカメラのフレームの一部を構成する前面エスカッション１の前面からは図示しない撮像レンズが取付けられるレンズ座２が設けられており、このレンズ座２の外周部にはフランジバック調整リング３が回転自在に設けられている。このフランジバック調整リング３は図12に示すように内周面にカム面３ａが形成されており、このカム面３ａは図12中、レンズ座２の突出方向先端部から基端部に向かって深くなるような傾斜面に形成されている。
【０００４】
また、このフランジバック調整リング３には一対の穴３ｂが形成されており、この穴３ｂにはそれぞれボルト４ａ、４ｂが挿通されるようになっている。また、レンズ座２には一対のネジ穴２ａが形成されており、フランジバック調整リング３をレンズ座２に取付ける際には、レンズ座２にフランジバック調整リング３を重ねた後、穴３ｂとネジ穴２ａを位置合わせし、次いで、ボルト４ａ、４ｂを穴３ｂを通してネジ穴２ａに螺合させる。
【０００５】
このようにしてフランジバック調整リング３をレンズ座２に取付けた後、フランジバック調整リング３をレンズ座２に対して回転させると、フランジバック調整リング３のカム面３ａがレンズ座２に固定されたボルト４ａ、４ｂに沿って移動するため、フランジバック調整リング３がレンズ座２に対して進退する、すなわち、レンズ座２の突出方向（光軸方向）に沿って移動する。
【０００６】
また、前面エスカッション１の背面にはブラケット５が取付けられており、このブラケット５には撮像素子であるＣＣＤ６が取付けられ、ＣＣＤ６は中央部が開口された押え板７と取付け板８に挟持されるようになっている。
【０００７】
具体的には、押え板７はボルト９によって取付け板８に固定されることにより、ＣＣＤ６が押え板７の開口から露出するようにして押え板７と取付け板８に固定され、押え板８をボルト10によってブラケット５に取付けることにより、ＣＣＤ６がブラケット５に固定される。
【０００８】
また、ブラケット５の外周部からは一対の舌状部材５ａ、５ｂが突出しており、この舌状部材５ａ、５ｂは一対のコイルバネ11ａ、11ｂの一端部が当接するようになっている。このコイルバネ11ａ、11ｂの他端部は本体フレームの一部を構成するシャーシ12によって押圧されることにより、舌状部材５ａ、５ｂとシャーシ12の間の縮設され、ブラケット５を前面エスカッション１側に付勢するようになっている。
【０００９】
また、前面エスカッション１の背面にはこの前面エスカッション１の延在方向に沿って延在する図示しないガイドレールが形成されおり、ブラケット５の外周部にはこのガイドレールに沿って移動可能な突起部が形成されている。このため、ブラケット５は撮像レンズの光軸方向のみに移動可能になっている。
【００１０】
このような従来のテレビカメラにあっては、フランジバック調整リング３を一方向に回転させると、フランジバック調整リング３のカム面３ａの深い部分から浅い部分がレンズ座２に固定されたボルト４ａ、４ｂに沿って移動するため、フランジバック調整リング３がレンズ座２に対してブラケット５側に移動し、ブラケット５がコイルバネ11ａ、11ｂの付勢力に抗してレンズ座２のレンズ面から離隔する。このため、ＣＣＤ６と撮像レンズの距離が離れる。
【００１１】
一方、フランジバック調整リング３を他方向に回転させると、フランジバック調整リング３のカム面３ａの浅い部分から深い部分がレンズ座２に固定されたボルト４ａ、４ｂに沿って移動するため、フランジバック調整リング３がレンズ座２に対してブラケット５と反対方向に移動し、ブラケット５がコイルバネ11ａ、11ｂに付勢されてレンズ座２のレンズ面に近接する。このため、ＣＣＤ６と撮像レンズの距離が近づく。
【００１２】
このようにフランジバック調整リング３を回転させたときに、カム面３ａとボルト４ａ、４ｂの接触位置を可変させることにより、フランジバック調整リング３の回転運動をブラケット５の直進運動に変換し、撮像レンズとＣＣＤ６との相対距離を可変させてフォーカスを調整することができる。
【００１３】
【発明が解決しようとする課題】
しかしながら、このような従来のテレビカメラにあっては、カメラ用レンズが多様化しており、フランジバック距離の異なったレンズが開発され、一般的に用いられている、所謂Ｃマウント用のレンズ（フランジバック距離が17.526mm）に加え、異なったフランジバック距離のレンズ、所謂ＣＳマウント用のレンズ（例えば、フランジバック距離が12.5mm）に対応できるようにすることがカメラ側に要求されている。
【００１４】
ところが、上記従来例の構成では、フランジバック調整リング３を回転させたときに、カム面３ａとボルト４ａ、４ｂの接触位置を可変させることにより、フランジバック調整リング３の回転運動をブラケット５の直進運動に変換し、撮像レンズとＣＣＤ６との相対距離を可変させてフォーカスを調整することができるが、これはＣマウントまたはＣＳマウント専用のフランジバック調整リングを金型で成形してＣマウント専用またはＣＳマウント専用の調整機構として使用していたため、Ｃマウント専用またはＣＳマウント専用のフランジバック調整リングが必要になってしまった。具体的には、カム面の深さが異なる２種類のフランジバック調整リングが必要になってしまった。
【００１５】
したがって、ＣマウントまたはＣＳマウント専用のフランジバック調整リングを製作するための金型が必要になる上に、ＣマウントまたはＣＳマウント毎にフランジバック調整リングを管理する必要があり、テレビカメラの製造コストが増大してしまうとともに、管理する部品の種類が増大して部品管理が面倒なものとなってしまった。
【００１６】
本発明は、上記従来の問題を解決するためのものであり、共通のフランジバック調整リングによってフランジバック距離を多段的に変化させることができるようにして、低コストでかつ、部品管理を容易にすることができる撮像装置を提供するものである。
【００１７】
【課題を解決するための手段】
本発明の撮像装置は、本体フレームと、前記本体フレームの前面から突出するとともに撮像レンズが装着可能な環状のレンズ座に回転自在に取付けられたフランジバック調整リングと、前記本体フレームの内周面に前記フランジバック調整リングと対向して設けられるとともに前記撮像素子が装着された撮像素子取付け部材と、前記本体フレームに取付けられ、前記撮像素子取付け部材を軸方向に沿って移動させる軸部材と、前記ブラケットおよび前記撮像素子を前記レンズ座に向かって加圧する押圧部材と、前記フランジバック調整リングの前記撮像素子取付け部材と対向する面に設けられ、前記フランジバック調整リングを一方に回転させたときに前記撮像素子取付け部材に当接して前記押圧部材の付勢力に抗して前記撮像素子取付け部材をフランジバック調整リングから離隔する方向に移動させる一方、前記フランジバック調整リングを他方に回転させたときに前記撮像素子取付け部材に当接して前記押圧部材の付勢力によって前記撮像素子取付け部材をフランジバック調整リングに近接させる方向に移動させるカム面とを備え、前記軸部材の外周部に規制部材を脱着自在に設け、前記規制部材の取付け位置を可変することにより、前記フランジバック調整リングの回転に伴って移動する前記撮像素子取付け部材の移動量を多段的に規制するように構成される。
【００１８】
このような構成により、軸部材の外周部に規制部材を脱着自在に設け、規制部材の取付け位置を可変することにより、フランジバック調整リングの回転に伴って移動する撮像素子取付け部材の移動量を多段的に規制することができるため、共通のフランジバック調整リングによってＣマウント用のフランジバック距離（フランジバック距離17.526mm）とＣＳマウント用のフランジバック距離（フランジバック距離が12.5mm）を設定することができる。この結果、低コストでかつ、部品管理を容易にして管理コストが増大するのを防止することができる。
【００１９】
本発明の撮像装置は、前記規制部材は、前記撮像素子取付け部材と前記レンズ座側の本体フレームの間の前記軸部材の外周部である第１の取付け位置と、前記撮像素子取付け部材と前記レンズ座と反対側の本体フレームの間の前記軸部材の外周部である第２の取付け位置とに脱着自在に設けられ、前記規制部材が前記第１の取付け位置に取付けられたときに、前記押圧部材が前記撮像素子取付け部材および前記レンズ座側と反対側の本体フレームの間に介装されるとともに、前記規制部材が前記第２の取付け位置に取付けられたときに、前記押圧部材が前記規制部材の外周部でかつ、前記撮像素子取付け部材および前記レンズ座側と反対側の本体フレームの間に介装されるように構成される。
【００２０】
このような構成により、規制部材を第１の取付け位置に取付けた場合には、押圧部材が撮像素子取付け部材をレンズ座に向かって押圧したときに、規制部材が撮像素子取付け部材をレンズ座側に移動するのを規制して、撮像レンズと撮像素子の間の光軸方向の距離を大きく取ることができる。このため、Ｃマウントのフランジバック距離に設定することができる。
【００２１】
また、規制部材を第２の取付け位置に取付けた場合には、フランジバック調整リングを押圧部材の付勢力に抗して一方に回転させたときに、規制部材により撮像素子取付け部材がレンズ座と反対側に移動するのを規制して、撮像レンズと撮像素子の間の光軸方向の距離を小さく取ることができる。このため、ＣＳマウントのフランジバック距離に設定することができる。
【００２２】
【発明の実施の形態】
以下、本発明の実施形態に基づいて説明する。
【００２３】
図１〜図９は本発明に係る撮像装置の一実施形態を示す図であり、撮像装置としては、テレビカメラ、ビデオカメラ、デジタルカメラ等に適用することができる。
【００２４】
まず、構成を説明する。図１〜図４において、本体フレームの一部を構成する前面エスカッション21の前面からは環状のレンズ座22が突出しており、このレンズ座22の開口穴22ａには図示しない撮像レンズが装着されるようになっている。
【００２５】
また、このレンズ座22の外周部にはフランジバック調整リング23が回転自在に取付けられており、このフランジバック調整リング23の外周部にはその円周方向に亘ってレール溝24が延在している。また、フランジバック調整リング23の外周部の所定箇所にはレンズ座22の延在方向（光軸Ａ方向）と同方向に延在する３つの切欠き24ａ（図１中、１つのみ図示）が形成されており、この切欠き24ａはレール溝24に連通している。
【００２６】
また、前面エスカッション21の内周面には撮像素子取付け部材としてのブラケット25が取付けられており、このブラケット25には撮像素子であるＣＣＤ26を実装したプリント基板27が取付けられるようになっている。具体的には、ブラケット25に形成されたネジ穴25ａ、25ｂにボルト28ａ、28ｂによってプリント基板27が固定されるようになっている。また、ブラケット25の中央部には開口穴25ｃが形成されており、ＣＣＤ26はこの開口穴25ｃからレンズ座22側に露出している。
【００２７】
また、ブラケット25の両端部には一対の舌状部材29、30が形成されており、この舌状部材29、30には挿通孔29ａ、30ａが形成されている。
【００２８】
この挿通孔29ａ、30ａは図３に示すように前面エスカッション21の背面から突出する一対の軸部材31ａ、31ｂに挿通されるようになっており、ブラケット25はこの軸部材31ａ、31ｂに対して光軸方向に摺動自在となっている。
【００２９】
また、この軸部材31ａ、31ｂにはそれぞれコイルバネ32ａ、32ｂが挿通されるようになっており、このコイルバネ32ａ、32ｂは前面エスカッション21の後部にボルト39によって固定された押さえ板38に押圧されることにより、縮設されてブラケット25をフランジバック調整リング23に向かって押圧するようになっている。なお、本実施形態では、押さえ板38も本体フレームを構成している。
【００３０】
一方、ブラケット25の外周部には３つの突起部35ａ〜35ｃが設けられており、この突起部35ａ〜35ｃはフランジバック調整リング23側に突出し、フランジバック調整リング23と当接可能になっている。なお、本実施形態では、コイルバネ32ａ、32ｂおよび押え用板バネ33ａ、33ｂが押圧部材を構成している。
【００３１】
また、レンズ座22の周囲の前面エスカッション21には３つの係合突起36ａ〜36ｃが設けられており、この係合突起36ａ〜36ｃは切欠き24ａを通してレール溝24に係合可能になっている。
【００３２】
また、フランジバック調整リング23のブラケット25と対向する面にはカム面37ａ〜37ｃが設けられており、このカム面37ａ〜37ｃはそれぞれブラケット25の突起部35ａ〜35ｃに当接するようになっている。
【００３３】
このカム面37ａ〜37ｃはブラケット25に対して深い面Ａ、段差面Ｂおよび浅い面Ｃを有しており、フランジバック調整リング23を回転させたときに各面Ａ、Ｂ、Ｃにブラケット25の係合突起35ａ〜35ｃを係合させることにより、フランジバック調整リング23の回転運動をブラケット25の直進運動に変換し、撮像レンズとＣＣＤ26を近接離隔させることでＣＣＤ26と撮像レンズの距離を可変させ、フランジバック調整を行なうようになっている。
【００３４】
このとき、カム面37ａ〜37ｃの深い面Ａとブラケット25の係合突起35ａ〜35ｃが係合したときには、撮像レンズとＣＣＤ26の光軸方向の距離が長くなってＣマウント（フランジバック距離が17.526mm）に設定されるとともに、カム面37ａ〜37ｃの浅い面Ｃとブラケット25の係合突起35ａ〜35ｃが係合したときには、撮像レンズとＣＣＤ26の光軸方向の距離が短くなってＣＳマウント（フランジバック距離が12.5mm）に設定され、この切換えは段差面Ｂを境にして行なわれる。
【００３５】
一方、軸部材31ａ、31ｂの外周部には規制部材としてのスペーサ40ａ、40ｂが脱着自在に取付けられるようになっており、このスペーサ40ａ、40ｂの軸部材31ａ、31ｂに対する取付け位置を可変することにより、フランジバック調整リング23の回転に伴って移動するブラケット25の移動量を多段的に規制するようになっている。
【００３６】
具体的には、スペーサ40ａ、40ｂはブラケット25とレンズ座22側の前面エスカッション22間の軸部材31ａ、31ｂの外周部である第１の取付け位置（図５参照）と、ブラケット25とレンズ座22側の前面エスカッション22間と反対側の押さえ板39の間の軸部材31ａ、31ｂの外周部である第２の取付け位置（図６参照）とに脱着自在に設けられるようになっており、スペーサ40ａ、40ｂが第１の取付け位置に取付けられたときに、コイルバネ32ａ、32ｂがブラケット25と押さえ板38の間に介装されるとともに、スペーサ40ａ、40ｂが第２の取付け位置に取付けられたときに、コイルバネ32ａ、32ｂがスペーサ40ａ、40ｂの外周部でかつ、ブラケット25と押さえ板38の間に介装されるようになっている。
【００３７】
次に、撮像装置を組立てる方法を説明する。
〔ＣＳマウントについて〕
【００３８】
まず、フランジバック調整リング23をレンズ座22に重ねて各切欠き24ａと係合突起36ａ〜36ｃを位置合わせした後、切欠き24ａを通してレール溝24を係合突起36ａ〜36ｃに係合させることにより、フランジバック調整リング23をレンズ座22に取付ける。
【００３９】
次いで、ブラケット25に形成されたネジ穴25ａ、25ｂにボルト28ａ、28ｂによってプリント基板27を固定した後、ブラケット25を前面エスカッション21に取付けるために、舌状部材29、30の挿通孔29ａ、30ａを軸部材31ａ、31ｂに挿通する。次いで、スペーサ40ａ、40ｂを軸部材32ａ、32ｂに挿通した後、コイルバネ32ａ、32ｂを軸部材31ａ、31ｂに挿通してスペーサ40ａ、40ｂの外周部に取付ける。
【００４０】
次いで、押さえ板38をボルト39によって前面エスカッション21に取付けることにより、図６に示すようにスペーサ40ａ、40ｂを第２の取付け位置に装着するとともにコイルバネ32ａ、32ｂを舌状部材29、30と押さえ板38の間に縮設することにより、コイルバネ32ａ、32ｂによってブラケット25をフランジバック調整用リング23側に付勢する。
〔Ｃマウントについて〕
【００４１】
まず、フランジバック調整リング23をレンズ座22に重ねて各切欠き24ａと係合突起36ａ〜36ｃを位置合わせした後、切欠き24ａを通してレール溝24を係合突起36ａ〜36ｃに係合させることにより、フランジバック調整リング23をレンズ座22に取付ける。
【００４２】
次いで、ブラケット25に形成されたネジ穴25ａ、25ｂにボルト28ａ、28ｂによってプリント基板27を固定した後、スペーサ40ａ、40ｂを軸部材32ａ、32ｂに挿通し、次いで、ブラケット25を前面エスカッション21に取付けるために、舌状部材29、30の挿通孔29ａ、30ａを軸部材31ａ、31ｂに挿通した後、コイルバネ32ａ、32ｂを軸部材31ａ、31ｂに挿通する。
【００４３】
次いで、押さえ板38をボルト39によって前面エスカッション21に取付けることにより、図５に示すようにスペーサ40ａ、40ｂを第１の取付け位置に装着するとともにコイルバネ32ａ、32ｂを舌状部材29、30と押さえ板38の間に縮設することにより、コイルバネ32ａ、32ｂによってブラケット25をフランジバック調整用リング23側に付勢する。
【００４４】
次に、図７〜９に基づいてフランジバック調整方法を説明する。
〔ＣＳマウント時〕
【００４５】
図６に示すように、スペーサ40ａ、40ｂが第２の取付け位置に取付けられるため、ブラケット25がフランジバック調整リング23に近接した位置から離隔する位置に移動する量が少なく規制される。このため、フランジバック調整リング23を矢印Ｌで示す左側（他方側）に回転させると、ブラケット25がフランジバック調整リング23から短い移動距離でレンズ座22から離隔する方向に移動してスペーサ40ａ、40ｂに衝止するため、フランジバック調整リング23の回転が規制される。
【００４６】
したがって、図７、図８に示すように、フランジバック調整リング23のＬ方向およびＲ方向で示す右側（一方側）の回動に伴ってフランジバック調整リング23のカム面37ａ〜37ｃの浅い面Ｃの領域でブラケット25の係合突起35ａ〜35ｃが係合して、撮像レンズとＣＣＤ26の光軸方向の距離が短くなるＣＳマウント（フランジバック距離が12.5mm）に設定され、この浅い面Ｃの範囲でブラケット25が移動してＣＣＤ26がレンズ座22に設けられた撮像レンズ側に近接、離隔する。
〔Ｃマウント時〕
【００４７】
図５に示すように、スペーサ40ａ、40ｂが第１の取付け位置に取付けられるため、ブラケット25がフランジバック調整リング23から離隔した位置から押さえ板38側に位置して、フランジバック調整リング23に近接する方向への移動量が規制される。
【００４８】
このため、フランジバック調整リング23を回転させると、ブラケット25がフランジバック調整リング23から離れた距離から押さえ板38側までの移動距離で移動し、フランジバック調整リング23に近接しようとすると、スペーサ40ａ、40ｂに衝止してフランジバック調整リング23の回転を規制される。
【００４９】
したがって、図９に示すように、フランジバック調整リング23のＬ方向およびＲ方向の回動に伴ってフランジバック調整リング23のカム面37ａ〜37ｃの深い面Ａの領域でブラケット25の係合突起35ａ〜35ｃが係合して、撮像レンズとＣＣＤ26の光軸方向の距離が長くなるＣマウント（フランジバック距離17.526mm）に設定され、この深い面Ａの範囲でブラケット25が移動してＣＣＤ26がレンズ座22に設けられた撮像レンズ側に近接、離隔する。
【００５０】
このように本実施形態では、軸部材31ａ、31ｂの外周部にスペーサ40ａ、40ｂを脱着自在に設け、スペーサ40ａ、40ｂの取付け位置を可変することにより、フランジバック調整リング23の回転に伴って移動するブラケット25の移動量を２段階に規制するようにしたため、共通のフランジバック調整リング23によってＣマウント用のフランジバック距離とＣＳマウント用のフランジバック距離を設定することができる。この結果、低コストでかつ、部品管理を容易にして管理コストが増大するのを防止することができる。
【００５１】
特に、本実施形態では、スペーサ40ａ、40ｂを、ブラケット25とレンズ座22側の前面エスカッション22間の軸部材31ａ、31ｂの外周部である第１の取付け位置と、ブラケット25とレンズ座22側の前面エスカッション22間と反対側の押さえ板39の間の軸部材31ａ、31ｂの外周部である第２の取付け位置とに脱着自在に設け、スペーサ40ａ、40ｂを第１の取付け位置に取付けたときに、コイルバネ32ａ、32ｂをブラケット25と押さえ板38の間に介装するとともに、スペーサ40ａ、40ｂを第２の取付け位置に取付けたときに、コイルバネ32ａ、32ｂをスペーサ40ａ、40ｂの外周部でかつ、ブラケット25と押さえ板38の間に介装するようにした。
【００５２】
このため、スペーサ40ａ、40ｂを第１の取付け位置に取付けた場合には、コイルバネ32ａ、32ｂがブラケット25をレンズ座22に向かって押圧したときに、スペーサ40ａ、40ｂがブラケット25をレンズ座22側に移動するのを規制して、撮像レンズとＣＣＤ26の間の光軸方向の距離を大きく取ることができ、Ｃマウントのフランジバック距離に設定することができる。
【００５３】
また、スペーサ40ａ、40ｂを第２の取付け位置に取付けた場合には、フランジバック調整リング23をコイルバネ32ａ、32ｂの付勢力に抗して一方に回転させたときに、スペーサ40ａ、40ｂによってブラケット25がレンズ座22と反対側に移動するのを規制して、撮像レンズとＣＣＤ26の間の光軸方向の距離を小さく取ることができる。このため、ＣＳマウントのフランジバック距離に設定することができる。
【００５４】
【発明の効果】
本発明によれば、共通のフランジバック調整リングによってＣマウント用のフランジバック距離（フランジバック距離17.526mm）とＣＳマウント用のフランジバック距離（フランジバック距離が12.5mm）を設定することができる。この結果、低コストでかつ、部品管理を容易にして管理コストが増大するのを防止することができる。
【図面の簡単な説明】
【図１】本発明に係る撮像装置の一実施形態を示す図であり、その撮像装置の分解斜視図
【図２】一実施形態の撮像装置のフランジバック調整機構の側面断面図
【図３】（ａ）は一実施形態の前面エスカッションの背面図、（ｂ）は同図（ａ）のＡ−Ａ方向矢視断面図
【図４】一実施形態のフランジバック調整リングとブラケットの当接状態を示すその背面図
【図５】一実施形態のスペーサを第１の取付け位置に取付けたときの撮像装置の要部断面図
【図６】一実施形態のスペーサを第２の取付け位置に取付けたときの撮像装置の要部断面図
【図７】一実施形態のフランジバック調整リングを他方向に回転させたときのブラケットの突起とフランジバック調整リングのカム面の深い面が当接した状態を示す図
【図８】一実施形態のフランジバック調整リングを一方向に回転させたときのブラケットの突起とフランジバック調整リングのカム面の段差面が当接した状態を示す図
【図９】一実施形態のフランジバック調整リングを一方向に回転させたときのブラケットの突起とフランジバック調整リングのカム面の浅い面が当接した状態を示す図
【図１０】従来の撮像装置の分解斜視図
【図１１】従来の撮像装置の側面断面図
【図１２】従来のフランジバック調整リングの斜視図
【符号の説明】
21    前面エスカッション（本体フレーム）
22    レンズ座
23    フランジバック調整リング
25    ブラケット（撮像素子取付け部材）
26    ＣＣＤ（撮像素子）
31ａ、31ｂ    軸部材
32ａ、32ｂ    コイルバネ（押圧部材）
37ａ〜37ｃ    カム面
38    押さえ板（本体フレーム）
40ａ、40ｂ    スペーサ（規制部材）
【図１】
0003889241.tif 000002
【図２】
0003889241.tif 000003
【図３】
0003889241.tif 000004
【図４】
0003889241.tif 000005
【図５】
0003889241.tif 000006
【図６】
0003889241.tif 000007
【図７】
0003889241.tif 000008
【図８】
0003889241.tif 000009
【図９】
0003889241.tif 000010
【図１０】
0003889241.tif 000011
【図１１】
0003889241.tif 000012
【図１２】
0003889241.tif 000013